(57)【要約】【課題】電子機器の小型軽量性を損なうことなくコンデンサの音鳴きに起因するノイズが音の中に混入することを防止しうる電子機器等を提供する。【解決手段】電子機器１０は、液晶によって画面表示を行う液晶表示部１１と、液晶表示部の背後から光をユーザに向けて放つバックライト部１２と、音声を音声データとして入力する音声入力手段１４ｄとを備え、バックライト部を点灯させるためのパルス電圧を発生するバックライト駆動部１３ｂと、音声入力手段が利用されているか否かを判定する動作モード判定機能２２と、音声入力手段が利用されているか否かの判定結果に応じて、バックライト駆動部にパルス電圧の波形を変更する制御信号を送り込むバックライト制御機能２１とを備える。【選択図】図１
2014078864.tif 000002
【特許請求の範囲】
【請求項１】
液晶によって画面表示を行う液晶表示部と、前記液晶表示部の背後から光をユーザに向けて放つバックライト部と、音声を音声データとして入力する音声入力手段とを備えた電子機器であって、
前記バックライト部を点灯させるためのパルス電圧を発生するバックライト駆動部を備えると共に、
前記音声入力手段が利用されているか否かを判定する動作モード判定機能と、
前記音声入力手段が利用されている場合に、前記バックライト駆動部に前記パルス電圧の波形を変更する制御信号を送り込むバックライト制御機能と
を有する主制御部を備えたことを特徴とする電子機器。
【請求項２】
前記バックライト制御機能が、前記音声入力手段が利用されている場合に、前記パルス電圧のデューティ比を１００％とさせる制御信号を前記バックライト駆動部に送り込むことを特徴とする、請求項１に記載の電子機器。
【請求項３】
前記音声入力手段が利用されており、かつ前記音声入力手段によって入力された前記音声データ中に可聴周波数帯域のノイズが発生している場合に、前記バックライト制御機能が、前記パルス電圧のデューティ比を変えることなく周波数を変更させる制御信号を前記バックライト駆動部に送り込むことを特徴とする、請求項１に記載の電子機器。
【請求項４】
前記音声入力手段から入力された音をデジタルデータに変換するサンプリング手段を備えると共に、
前記主制御部が、
前記サンプリング手段の動作を制御するサンプリング制御機能と、
前記デジタルデータから音圧レベルの高い周波数を抽出する周波数分析機能と、
前記抽出された周波数が可聴周波数領域内であり、かつ当該周波数における前記音圧レベルの変化が予め与えられた閾値以内である場合に、前記ノイズが発生していると判定するノイズ判定機能と
を備えることを特徴とする、請求項３に記載の電子機器。
【請求項５】
前記サンプリング部が、サンプリング周波数の異なる複数の動作モードを備え、
前記動作モード判定機能が、前記音声入力手段が利用されており、かつ前記動作モードが前記サンプリング周波数のより高い動作モードである場合に、前記バックライト制御機能を前記パルス電圧の波形を変更するよう制御することを特徴とする、請求項４に記載の電子機器。
【請求項６】
液晶によって画面表示を行う液晶表示部と、前記液晶表示部の背後から光をユーザに向けて放つバックライト部と、音声を音声データとして入力する音声入力手段とを備えた電子機器にあって、
前記音声入力手段が利用されているか否かを動作モード判定機能が判定し、
前記音声入力手段が利用されているか否かの判定結果に応じて、前記パルス電圧の波形を変更する制御信号をバックライト制御機能がバックライト駆動部に送り込み、
前記制御信号に応じて波形を変更したパルス電圧を前記バックライト駆動部が発生し、
このパルス電圧を前記バックライト部に印加する
ことを特徴とするバックライト点灯制御方法。
【請求項７】
前記音声入力手段が利用されている場合に、前記パルス電圧のデューティ比を１００％とさせる制御信号を前記バックライト制御機能が前記バックライト駆動部に送り込むことを特徴とする、請求項６に記載のバックライト点灯制御方法。
【請求項８】
前記音声入力手段が利用されている場合に、前記音声入力手段から入力された音をサンプリング部がデジタルデータに変換し、
前記デジタルデータから音圧レベルの高い周波数を周波数分析機能が抽出し、
前記抽出された周波数が可聴周波数領域内であり、かつ当該周波数における前記音圧レベルの変化が予め与えられた閾値以内である場合に、ノイズ判定機能が前記ノイズが発生していると判定すると共に、
前記音声入力手段が利用されており、かつ前記音声入力手段によって入力された前記音声データ中に可聴周波数帯域のノイズが発生している場合に、前記パルス電圧のデューティ比を変えることなく周波数を変更させる制御信号を前記バックライト制御機能が前記バックライト駆動部に送り込むことを特徴とする、請求項６に記載のバックライト点灯制御方法。
【請求項９】
液晶によって画面表示を行う液晶表示部と、前記液晶表示部の背後から光をユーザに向けて放つバックライト部と、音声を音声データとして入力する音声入力手段と、前記バックライト部を点灯させるためのパルス電圧を発生するバックライト駆動部とを備えた電子機器にあって、
当該電子機器が備えるプロセッサに、
前記音声入力手段が利用されているか否かを判定する手順、
および前記音声入力手段が利用されているか否かの判定結果に応じて、前記バックライト駆動部に前記パルス電圧の波形を変更する制御信号を送り込む手順
を実行させることを特徴とするバックライト点灯制御プログラム。
【請求項１０】
前記音声入力手段から入力された音をデジタルデータに変換する動作を制御する手順、
前記デジタルデータから音圧レベルの高い周波数を抽出する手順、
および前記抽出された周波数が可聴周波数領域内であり、かつ当該周波数における前記音圧レベルの変化が予め与えられた閾値以内である場合に、前記ノイズが発生していると判定する手順
を前記プロセッサにさらに実行させると共に、
前記音声入力手段が利用されており、かつ前記音声入力手段によって入力された前記音声データ中に可聴周波数帯域のノイズが発生している場合に、前記パルス電圧のデューティ比を変えることなく周波数を変更させる制御信号を前記バックライト駆動部に送り込む手順を当該プロセッサにさらに実行させる
ことを特徴とする、請求項９に記載のバックライト点灯制御プログラム。
【発明の詳細な説明】
【技術分野】
【０００１】
本発明は電子機器、バックライト点灯制御方法およびプログラムに関し、特に液晶表示部のバックライトの点灯に伴って発生する積層セラミックチップコンデンサの音鳴きの発生を抑制しうる電子機器等に関する。
【背景技術】
【０００２】
携帯電話端末（スマートフォンおよびフィーチュアフォン）、ノートブック型パーソナルコンピュータ、タブレット端末、携帯型ゲーム機、携帯型音楽プレーヤー、ＧＰＳ機器などのような、表示用の液晶モジュールを備える可搬型の電子機器が増えている。そのような電子機器の液晶モジュールのバックライトの光源としては、主に冷陰極管とＬＥＤ（Light Emitting Diode、発光ダイオード）という２通りの方式が利用される。ＬＥＤ光源は高電圧の電源を必要としないので、可搬型の電子機器、特にバッテリー駆動である場合には適している。
【０００３】
また、それらのような電子機器では、電子回路における基本的な素子の一つであるコンデンサで積層セラミックチップコンデンサが使用されることが普通である。積層セラミックチップコンデンサは、高周波領域においても良好な特性を得ることができ、さらに装置の小型軽量化や低価格化にも適しているからである。全世界で電子機器用に生産および使用されるコンデンサは年間約７０００億個と言われており、そのうちの約８割が積層セラミックチップコンデンサであるとされている（非特許文献１より）。
【０００４】
図１３は、一般的な電子機器９１０の構成について示す説明図である。電子機器９１０は、液晶によって画面表示を行う液晶表示部９１１、液晶表示部９１１の背後から光をユーザに向けて放つバックライト部９１２、液晶表示部９１１とバックライト部９１２とを制御する駆動回路を含む制御基板９１３、および電子機器９１０全体の主要な処理機能を担う装置基板９１４を内蔵する。
【０００５】
制御基板９１３は、液晶表示部９１１とバックライト部９１２とを各々制御する液晶駆動部９１３ａおよびバックライト駆動部９１３ｂとを含む。装置基板９１４は、コンピュータプログラムを実行する主体となるプロセッサ９１４ａと、データを記憶する記憶手段９１４ｂと、ユーザからの入力操作を受け付ける操作入力手段９１４ｃと、音声をプロセッサ９１４ａによって処理可能な音声データとして入力する音声入力手段９１４ｄとを備える。
【０００６】
プロセッサ９１４ａによる処理結果が、液晶表示部９１１に表示される。そして、プロセッサ９１４ａからの制御指令に応じて、液晶駆動部９１３ａおよびバックライト駆動部９１３ｂは各々、液晶表示部９１１およびバックライト部９１２の制御を行う。操作入力手段９１４ｃは、テンキー、キーボード、マウスなどでもよいし、液晶表示部９１１の有効表示領域の表面に貼られたタッチスクリーンでもよい。音声入力手段９１４ｄは、典型的にはマイクロフォンである。
【０００７】
電子機器９１０には、ここで説明したもの以外にも多くの要素が使用されているが、ここでは本発明の概念を説明するために必要な要素についてのみ示し、他のハードウェアやソフトウェアについては特に説明しないこととする。
【０００８】
図１４は、図１３に示した電子機器９１０で行われる、バックライト部９１２の輝度の調整について示す説明図である。バックライト駆動部９１３ｂは、バックライト部９１２をＰＷＭ（Pulse Width Modulation）方式で駆動する。即ち、液晶表示部９１１は一定の周波数のパルス電圧をバックライト部９１２に対して印加して、このバックライト部９１２を点灯させている。
【０００９】
そしてバックライト駆動部９１３ｂは、このパルス電圧のデューティ比を変化させる事によって、バックライト部９１２の点灯時の輝度、即ち液晶表示部９１１の明るさを調節している。図１５は、図１３に示した電子機器９１０で、バックライト駆動部９１３ｂが発生するパルス電圧のデューティ比とバックライト部９１２の輝度との間の関係を示すグラフである。デューティ比と輝度との間の関係は、ほぼ正比例であると考えることが可能である。
【００１０】
これに関連する技術文献として、次の各々がある。その中でも特許文献１には、基板で発生する振動が伝わりにくいという放熱フィンの取り付け構造について記載されている。特許文献２には、ＬＥＤ光源に直列接続されたスイッチ回路をパルス信号に合わせてオン／オフすることによって、共振周波数を可聴帯域から外すという発光駆動装置が記載されている。特許文献３には、マイクによって騒音を検出した場合に表示デバイスの駆動順番を変えるという表示装置が記載されている。
【００１１】
特許文献４には、音声通話もしくは録音の動作を開始したらバックライトに対して印加するパルス電圧の周波数を変更し、その動作が終了したら周波数を元に戻すという電子機器が記載されている。特許文献５には、パルス電圧のオフ期間も負荷回路で駆動電圧を維持するというバックライト駆動回路が記載されている。特許文献６には、パルス電圧が最小値である時にキャパシタを分離して当該キャパシタが放電するのを防止するという駆動回路が記載されている。
【００１２】
非特許文献１には積層セラミックチップコンデンサの基本的な構造や製法などが記載されており、非特許文献２にはこの構造のコンデンサに特有の現象である音鳴き（詳しくは後述）について記載されている。
【先行技術文献】
【特許文献】
【００１３】
【特許文献１】特開２００６−０９１６２１号公報
【特許文献２】特開２００６−１１４３２４号公報
【特許文献３】特開２００６−１４５６４０号公報
【特許文献４】特開２０１０−１４１６８１号公報
【特許文献５】特開２０１１−１３８６６６号公報
【特許文献６】特表２０１０−５１５２１２号公報
【非特許文献】
【００１４】
【非特許文献１】ＴＤＫ広報部、「積層セラミックチップコンデンサはこうして作られる」、平成２４年５月２４日、［平成２４年９月２０日検索］、アイティメディア（株）、インターネット＜URL：http://ednjapan.com/edn/articles/1205/24/news099.html＞
【非特許文献２】前川慎光、「古くて新しい問題『コンデンサの音鳴き』にどう対応するか、村田が対処策をデモ」、平成２３年７月２５日、［平成２４年９月２０日検索］、アイティメディア（株）、インターネット＜URL：http://eetimes.jp/ee/articles/1107/25/news098.html＞
【発明の概要】
【発明が解決しようとする課題】
【００１５】
前述の図１３に示した電子機器９１０で、バックライト駆動部９１３ｂに含まれるコンデンサも、多くの場合積層セラミックチップコンデンサである。しかしながら、非特許文献２にも記載されている通り、積層セラミックチップコンデンサは、その基本的な構造上、電圧を印加すると圧電効果（ピエゾ効果）によって電極自体が伸縮する。ＰＷＭ方式で一定の周波数のパルス電圧が印加され続ける事によって、その電極の伸縮が一定の周波数で発生し、それによってセラミックコンデンサとこれを取り付けられた制御基板９１３が振動する。
【００１６】
図１６は、図１３に示した電子機器９１０の制御基板９１３（バックライト駆動部９１３ｂ）上に実装された積層セラミックチップコンデンサ９２１の構造について示す説明図である。積層セラミックチップコンデンサ９２１は、多数の内部電極９２１ａとセラミック誘電体９２１ｂとが積層された構造である。この積層の左右には、内部電極９２１ａと電気的に接続された外部電極９２１ｃ〜ｄが形成されている。積層セラミックチップコンデンサ９２１の外部電極９２１ｃ〜ｄに電圧を印加すると、圧電効果（ピエゾ効果）によって、内部電極９２１ａと平行の方向への収縮と、内部電極９２１ａと垂直の方向への膨張が発生する。
【００１７】
図１７は、図１６に示した積層セラミックチップコンデンサ９２１で発生する電極の伸縮に伴って発生する制御基板９１３の振動について示す説明図である。図１７（ａ）は積層セラミックチップコンデンサ９２１に電圧を印加していない状態、図１７（ｂ）は電圧を印加した状態を各々示している。制御基板９１３に取り付けられた積層セラミックチップコンデンサ９２１に、図１６で示した電極の伸縮が発生すると、その結果として制御基板９１３にたわみが発生する。
【００１８】
積層セラミックチップコンデンサ９２１には一定の周波数のパルス電圧が印加され続けるので、このたわみは特定の周波数を持った振動となる。その振動の周波数が人間の可聴周波数領域と重なった場合、その振動が音として人間の耳にも認識されることがある。この現象は、一般に「鳴き」もしくは「音鳴き」と呼ばれる。これは、図１６で示した積層セラミックチップコンデンサの基本的な構造上、不可避の現象である。
【００１９】
しかも、その振動の周波数は、パルス電圧の周波数と等しいとは限らない。たとえば、パルス電圧の周波数、制御基板９１３自体の構造（寸法、層数、配線パターンなど）やその上での当該コンデンサの配置や取り付け状態など非常に多くの物理的条件によって、その振動の周波数が決定される。従って、その振動の周波数が可聴周波数であるか否か（＝音鳴きの有無）を設計段階で事前に予測することは事実上不可能である。
【００２０】
その振動の振幅は微細（１ｎｍ未満）なものであるので、音鳴きによって発生する音はごく小さく、電子機器９１０を操作する人間の耳に直接聞こえることは希である。しかしながら、同一装置内の音声入力手段９１４ｄにこの振動が伝わると、これが拾われて装置内のアンプで増幅され、ユーザの意図しないノイズとして音の中に混入する。即ち、録音される音や、音声通話で通話相手に伝達される音の中に、そのようなノイズが含まれてしまうこととなる。
【００２１】
前述のように、この音鳴きの問題は、積層セラミックチップコンデンサの基本的な構造上不可避である。音鳴きの発生しないコンデンサも存在するが、積層セラミックチップコンデンサを代替できるものではない。特に電子機器９１０では装置の小型軽量化や低価格化が常に求められるので、そのような用途に最も優れている積層セラミックチップコンデンサを代替して音鳴きをなくすことのできるコンデンサは、今のところ存在しない。
【００２２】
さらに、電子機器９１０では装置の小型軽量化や低価格化が常に求められるという点からいえば、音声入力手段９１４ｄをバックライト駆動部９１３ｂから離すことや、この両者の間に遮音材を配置することなどによって音鳴きの問題を解決することも、機器の小型軽量性を損ない、また各部品の配置に対する制約を増すこととなるので、現実的でない。特にユーザビリティ（使いやすさ）に配慮した機器の設計が、これでは困難になる。
【００２３】
図１８〜１９は、図１３に示した電子機器９１０で、音声入力手段９１４ｄおよびバックライト駆動部９１３ｂの物理的な配置について示す説明図である。図１８（ａ）は音声入力手段９１４ｄとバックライト駆動部９１３ｂとが接近した状態、音声入力手段９１４ｄとバックライト駆動部９１３ｂとを離したが音声入力手段９１４ｄが配置不能な位置である状態を各々示す。
【００２４】
また図１９（ｃ）は音声入力手段９１４ｄとバックライト駆動部９１３ｂとを離したが装置の小型化に反している状態、図１９（ｄ）は音声入力手段９１４ｄとバックライト駆動部９１３ｂとの間に遮音材９１５を配置した状態を各々示す。
【００２５】
図１８（ａ）に示すように、音声入力手段９１４ｄおよびバックライト駆動部９１３ｂが物理的に近接した位置に配置されると、バックライト駆動部９１３ｂで発生した音鳴きが音声入力手段９１４ｄにも伝わりやすい。
【００２６】
これを防ぐには、図１８（ｂ）に示すように、音声入力手段９１４ｄをバックライト駆動部９１３ｂからなるべく離れた位置に配置するという方法が考えられる。しかしながら、音声入力手段９１４ｄは装置内で好きな位置に配置してよいというものではないので、図１８（ｂ）に示す位置に音声入力手段９１４ｄを配置することはできない。特に電子機器９１０が携帯電話端末である場合、ユーザが耳をスピーカーに当てた状態で、音声入力手段９１４ｄがユーザの口の近くに配置されていることが必要であるので、それだけでも配置可能な位置が大きく制約されることとなる。
【００２７】
また、図１９（ｃ）に示すように、音声入力手段９１４ｄを配置可能な範囲でバックライト駆動部９１３ｂからなるべく離れた位置に配置することは、電子機器９１０自体の小型軽量性を損なうという結果を招きうるので、現実的に可能な解決方法ではない。図１９（ｄ）に示すように、音声入力手段９１４ｄとバックライト駆動部９１３ｂとの間に遮音材９１５を配置するという解決方法も考えられるが、これは部品点数を増加することになるので、装置の小型軽量化の要求だけでなく、コストダウンの要求にも反することとなる。
【００２８】
この問題を解決しうる技術は、先行技術文献には記載されていない。特許文献４に記載の電子機器は、音声通話もしくは録音の動作を開始したらバックライトに対して印加するパルス電圧の周波数を変更し、その動作が終了したら周波数を元に戻すという動作によって音鳴きの影響を軽減しようとしているが、前述のように音鳴きの有無を設計段階で事前に予測することは不可能であるので、変更後の周波数で音鳴きが発生する可能性を否定できるものではない。他の特許文献１〜３および５〜６についても同様である。非特許文献１〜２は、前述のようにそれぞれ積層セラミックチップコンデンサと音鳴きという現象について解説しているに過ぎない。
【００２９】
本発明の目的は、電子機器の小型軽量性を損なうことなく積層セラミックチップコンデンサの音鳴きに起因するノイズが音の中に混入することを防止しうる電子機器、バックライト点灯制御方法およびプログラムを提供することにある。
【課題を解決するための手段】
【００３０】
上記目的を達成するため、本発明に係る電子機器は、液晶によって画面表示を行う液晶表示部と、液晶表示部の背後から光をユーザに向けて放つバックライト部と、音声を音声データとして入力する音声入力手段とを備えた電子機器であって、バックライト部を点灯させるためのパルス電圧を発生するバックライト駆動部を備えると共に、音声入力手段が利用されているか否かを判定する動作モード判定機能と、音声入力手段が利用されている場合に、バックライト駆動部にパルス電圧の波形を変更する制御信号を送り込むバックライト制御機能とを有する主制御部を備えたことを特徴とする。
【００３１】
上記目的を達成するため、本発明に係るバックライト点灯制御方法は、液晶によって画面表示を行う液晶表示部と、液晶表示部の背後から光をユーザに向けて放つバックライト部と、音声を音声データとして入力する音声入力手段とを備えた電子機器にあって、音声入力手段が利用されているか否かを動作モード判定機能が判定し、音声入力手段が利用されているか否かの判定結果に応じて、パルス電圧の波形を変更する制御信号をバックライト制御機能がバックライト駆動部に送り込み、制御信号に応じて波形を変更したパルス電圧をバックライト駆動部が発生し、このパルス電圧をバックライト部に印加することを特徴とする。
【００３２】
上記目的を達成するため、本発明に係るバックライト点灯制御プログラムは、液晶によって画面表示を行う液晶表示部と、液晶表示部の背後から光をユーザに向けて放つバックライト部と、音声を音声データとして入力する音声入力手段と、バックライト部を点灯させるためのパルス電圧を発生するバックライト駆動部とを備えた電子機器にあって、当該電子機器が備えるプロセッサに、音声入力手段が利用されているか否かを判定する手順、および音声入力手段が利用されているか否かの判定結果に応じて、バックライト駆動部にパルス電圧の波形を変更する制御信号を送り込む手順を実行させることを特徴とする。
【発明の効果】
【００３３】
本発明は、上記したように、音声入力手段が利用されているか否かの判定結果に応じてパルス電圧の波形を変更するように構成したので、音声入力手段が利用されている時に共振条件を外して音鳴きを抑制できる。これによって、電子機器の小型軽量性を損なうことなく音鳴きに起因するノイズが音の中に混入することを防止することが可能であるという、優れた特徴を持つ電子機器、バックライト点灯制御方法およびプログラムを提供することができる。
【図面の簡単な説明】
【００３４】
【図１】本発明の第１の実施形態に係る電子機器の構成について示す説明図である。
【図２】図１に示した制御基板および装置基板のより詳しい構成について示す説明図である。
【図３】図１に示した電子機器のバックライト部の点灯を制御する動作について示すフローチャートである。
【図４】図３のステップＳ１０２として示されたバックライト制御機能がバックライト駆動部を制御してバックライト部１２に対して印加する電圧のデューティ比について示す説明図である。図４（ａ）はデューティ比が１００％でない状態を、図４（ｂ）はデューティ比が１００％である状態を各々示す。
【図５】本発明の第２の実施形態に係る電子機器の構成について示す説明図である。
【図６】図５に示した制御基板および装置基板のより詳しい構成について示す説明図である。
【図７】図６に示したバックライト駆動部が発生する、デューティ比が同一でかつ周波数の異なるパルス電圧について示す説明図である。
【図８】図６に示した電子機器のバックライト部の点灯を制御する動作について示すフローチャートである。
【図９】本発明の第３の実施形態に係る電子機器の構成について示す説明図である。
【図１０】図９に示した装置基板のより詳しい構成について示す説明図である。
【図１１】図１０で示した動作モード判定機能が判定する通常モードおよび高品位モードについて示す説明図である。
【図１２】図９に示した電子機器のバックライト部の点灯を制御する動作について示すフローチャートである。
【図１３】一般的な電子機器の構成について示す説明図である。
【図１４】図１３に示した電子機器で行われる、バックライト部の輝度の調整について示す説明図である。
【図１５】図１３に示した電子機器で、バックライト駆動部が発生するパルス電圧のデューティ比とバックライト部の輝度との間の関係を示すグラフである。
【図１６】図１３に示した電子機器の制御基板（バックライト駆動部）上に実装された積層セラミックチップコンデンサの構造について示す説明図である。
【図１７】図１６に示した積層セラミックチップコンデンサで発生する電極の伸縮に伴って発生する制御基板の振動について示す説明図である。図１７（ａ）は積層セラミックチップコンデンサに電圧を印加していない状態、図１７（ｂ）は電圧を印加した状態を各々示している。
【図１８】図１３に示した電子機器で、音声入力手段およびバックライト駆動部の物理的な配置について示す説明図である。図１８（ａ）は音声入力手段９１４ｄとバックライト駆動部９１３ｂとが接近した状態、音声入力手段９１４ｄとバックライト駆動部９１３ｂとを離したが音声入力手段９１４ｄが配置不能な位置である状態を各々示す。
【図１９】図１８の続きである。図１９（ｃ）は音声入力手段９１４ｄとバックライト駆動部９１３ｂとを離したが装置の小型化に反している状態、図１９（ｄ）は音声入力手段９１４ｄとバックライト駆動部９１３ｂとの間に遮音材９１５を配置した状態を各々示す。
【発明を実施するための形態】
【００３５】
（第１の実施形態）
以下、本発明の第１の実施形態の構成について添付図１に基づいて説明する。
最初に、本実施形態の基本的な内容について説明し、その後でより具体的な内容について説明する。
本実施形態に係る電子機器１０は、液晶によって画面表示を行う液晶表示部１１と、液晶表示部の背後から光をユーザに向けて放つバックライト部１２と、音声を音声データとして入力する音声入力手段１４ｄとを備えた電子機器である。この電子機器１０は、バックライト部を点灯させるためのパルス電圧を発生するバックライト駆動部１３ｂを備えると共に、音声入力手段が利用されているか否かを判定する動作モード判定機能２２と、音声入力手段が利用されている場合に、バックライト駆動部にパルス電圧の波形を変更する制御信号を送り込むバックライト制御機能２１とを有する主制御部（プロセッサ１４ａ）を備えている。
【００３６】
また、バックライト制御機能２１は、音声入力手段１４ａが利用されている場合に、パルス電圧のデューティ比を１００％とさせる制御信号をバックライト駆動部１３ｂに送り込む。
【００３７】
以上の構成を備える事により、この電子機器１０は、電子機器の小型軽量性を損なうことなく音鳴きに起因するノイズが音の中に混入することを防止することが可能となる。
以下、これをより詳細に説明する。
【００３８】
図１は、本発明の第１の実施形態に係る電子機器１０の構成について示す説明図である。電子機器１０は、液晶によって画面表示を行う液晶表示部１１、液晶表示部１１の背後から光をユーザに向けて放つバックライト部１２、液晶表示部１１とバックライト部１２とを制御する駆動回路を含む制御基板１３、および電子機器１０全体の主要な処理機能を担う装置基板１４を内蔵する。バックライト部１２の光源は、冷陰極管でもＬＥＤ（発光ダイオード）でもよい。
【００３９】
図２は、図１に示した制御基板１３および装置基板１４のより詳しい構成について示す説明図である。制御基板１３は、液晶表示部１１とバックライト部１２とを各々制御する液晶駆動部１３ａおよびバックライト駆動部１３ｂとを含む。バックライト駆動部１３ｂは、バックライト部１２を点灯させるための電圧を発生する。
【００４０】
装置基板１４は、コンピュータプログラムを実行する主体となるプロセッサ１４ａと、データを記憶する記憶手段１４ｂと、ユーザからの入力操作を受け付ける操作入力手段１４ｃと、音声を電気信号に変換する音声入力手段１４ｄと、音声から変換された電気信号をプロセッサ１４ａによって処理可能な音声データに変換するサンプリング手段１４ｅとを備える。
【００４１】
プロセッサ１４ａによる処理結果が、液晶表示部１１に表示される。操作入力手段１４ｃは、テンキー、キーボードやマウスなどでもよいし、液晶表示部１１の有効表示領域の表面に貼られたタッチスクリーンでもよい。音声入力手段１４ｄは、典型的にはマイクロフォンである。
【００４２】
プロセッサ１４ａは、ＬＣＤ制御プログラムが動作することにより、バックライト制御機能２１、および動作モード判定機能２２として動作する。動作モード判定機能２２は、プロセッサ１４ａで行われている動作の種類について判定する。バックライト制御機能２１は、判定された動作の種類に基づいて、バックライト駆動部１３ｂで発生される電圧の波形を決定する制御信号をこのバックライト駆動部１３ｂに対して送り込み、これを介してバックライト部１２を制御する。
【００４３】
即ち、電子機器１０は典型的には携帯電話端末（スマートフォンおよびフィーチュアフォン）、ノートブック型パーソナルコンピュータ、タブレット端末、携帯型ゲーム機、携帯型音楽プレーヤー、ＧＰＳ機器などであるが、必ずしもこれらのカテゴリの機器に限定されるものではない。要は液晶表示部１１（とバックライト部１２）、および音声入力手段１４ｄ（とサンプリング手段１４ｅ）を備えた電子機器であれば、本明細書で説明する各実施形態を適用する対象となり得るものである。
【００４４】
以上で説明した各要素のうち、液晶駆動部１３ａ、記憶手段１４ｂ、操作入力手段１４ｃ、サンプリング手段１４ｅの各々については、本実施形態の動作には必要不可欠なものではあるが、本実施形態において新規な技術内容に直接関連するものではない。
【００４５】
電子機器１０には、図１〜２で示すもの以外にも多くのハードウェア要素が使用されている。また、プロセッサ１４ａでは、図２で示すもの以外にもたとえばＯＳ（Operating System: 基本ソフト）、各種アプリケーション、あるいはデバイスドライバなどとして、多くのソフトウェアが動作している。本明細書では、本発明の概念を説明するために必要な要素についてのみ示し、他のハードウェアやソフトウェアについては特に説明しないこととする。図３以降についても同様とする。
【００４６】
図３は、図１に示した電子機器１０のバックライト部１２の点灯を制御する動作について示すフローチャートである。電子機器１０のプロセッサ１４ａが液晶表示部１１に何かを表示させる動作を開始すると、まず動作モード判定機能２２が、プロセッサ１４ａで行われている動作が「特定の動作モード」であるかについて判定する（ステップＳ１０１）。ここでいう「特定の動作モード」とは、たとえば動画撮影、音声録音、音声通話などのように、音声入力手段１４ｄ（およびサンプリング手段１４ｅ）を利用する動作モードをいう。特定の動作モードでなければ（ステップＳ１０１がノー）、そのまま動作を継続する。
【００４７】
特定の動作モードであれば（ステップＳ１０１がイエス）、動作モード判定機能２２はバックライト制御機能２１に制御を渡し、バックライト制御機能２１はこれを受けてバックライト駆動部１３ｂを制御してバックライト部１２の輝度を制御する。より具体的には、表示輝度が最も明るい「デューティ比１００％」に調節して（ステップＳ１０２）、ステップＳ１０１に戻って動作を継続する。
【００４８】
図４は、図３のステップＳ１０２として示されたバックライト制御機能２１がバックライト駆動部１３ｂを制御してバックライト部１２に対して印加する電圧のデューティ比について示す説明図である。図４（ａ）はデューティ比が１００％でない状態を、図４（ｂ）はデューティ比が１００％である状態を各々示す。図４（ｂ）に示されたように、デューティ比１００％である状態は、ＰＷＭのオン／オフの動作が行われず、常にバックライト部１２に対してパルス波形ではない一定の電圧が加えられている状態を意味する。
【００４９】
即ち、「デューティ比１００％」であればバックライト駆動部１３ｂに内蔵されているセラミックコンデンサが振動することはなく、前述したような「音鳴き」は発生しない。従って、音声入力手段１４ｄに音鳴きに起因するノイズが入ることはなくなる。
【００５０】
（第１の実施形態の全体的な動作）
次に、上記の実施形態の全体的な動作について説明する。
本実施形態に係るバックライト点灯制御方法は、液晶によって画面表示を行う液晶表示部と、液晶表示部の背後から光をユーザに向けて放つバックライト部と、音声を音声データとして入力する音声入力手段とを備えた電子機器１０にあって、音声入力手段が利用されているか否かを動作モード判定機能が判定し（図３・ステップＳ１０１）、音声入力手段が利用されているか否かの判定結果に応じて、パルス電圧の波形を変更する制御信号をバックライト制御機能がバックライト駆動部に送り込み（図３・ステップＳ１０２）、制御信号に応じて波形を変更したパルス電圧をバックライト駆動部が発生し、このパルス電圧をバックライト部に印加する。またこの場合、音声入力手段が利用されている場合に、パルス電圧のデューティ比を１００％とさせる制御信号をバックライト制御機能がバックライト駆動部に送り込む。
【００５１】
ここで、上記各動作ステップについては、これをコンピュータで実行可能にプログラム化し、これらを前記各ステップを直接実行する電子機器１０のプロセッサ１４ａに実行させるようにしてもよい。本プログラムは、非一時的な記録媒体、例えば、ＤＶＤ、ＣＤ、フラッシュメモリ等に記録されてもよい。その場合、本プログラムは、記録媒体からコンピュータによって読み出され、実行される。
この動作により、本実施形態は以下のような効果を奏する。
【００５２】
本実施形態によれば、音声入力手段が利用されている場合にはパルス電圧のデューティ比を１００％とするので、音鳴きの現象自体が発生しない。従って、音声入力手段１４ｄに音鳴きに起因するノイズが入ることはなくなる。このため、音声入力手段１４ｄを（ノイズの発生源である）バックライト駆動部１３ｂから離れた位置に配置する必要もなくなり、前述のような装置の小型軽量化、低価格化やユーザビリティなどに対する問題もなくなる。
【００５３】
また、「特定の動作モード」とは前述のように「音声入力手段１４ｄを利用する動作モード」を意味する。これには、動画撮影や音声通話などといった、屋外で電子機器１０が使用されることの多い状況が含まれる。一般的に屋外では強い太陽光が表示面に浴びせられるので、液晶表示部１１上の表示内容が見づらくなる。本実施形態では、「動画撮影や音声通話」などの場合に「デューティ比１００％」としてバックライト部１２の輝度を最大にするので、液晶表示部１１の屋外での視認性が向上するという副次的効果を得ることもできる。
【００５４】
（第２の実施形態）
本発明の第２の実施形態は、前述した第１の実施形態の構成に加えて、音声入力手段が利用されており、かつ音声入力手段によって入力された音声データ中に可聴周波数帯域のノイズが発生している場合に、バックライト制御機能２２１が、パルス電圧のデューティ比を同一として周波数を変更させる制御信号をバックライト駆動部２１３ｂに送り込むものとした。
【００５５】
かつ、音声入力手段１４ｄから入力された音をデジタルデータに変換するサンプリング手段１４ｅを備えると共に、主制御部（プロセッサ１４ａ）が、サンプリング手段の動作を制御するサンプリング制御機能２２３と、デジタルデータから音圧レベルの高い周波数を抽出する周波数分析機能２２４と、抽出された周波数が可聴周波数領域内であり、かつ当該周波数における音圧レベルの変化が予め与えられた閾値以内である場合に、ノイズが発生していると判定するノイズ判定機能２２５とを備えるものとした。
【００５６】
この構成によっても、第１の実施形態と同一の効果が得られることに加えて、さらにバックライト部１２の輝度を最大にする必要が無いので、消費電力を抑制するという効果を得る事も可能になる。
以下、これをより詳細に説明する。
【００５７】
図５は、本発明の第２の実施形態に係る電子機器２１０の構成について示す説明図である。電子機器２１０は、前述した第１の実施形態に係る電子機器１０と比べて、ハードウェア的な構成はほぼ同一であり、ソフトウェア的な構成が一部変化しているだけである。即ち、制御基板１３および装置基板１４が各々、別の制御基板２１３および装置基板２１４に置換されているのみである。従って、同一の要素は同一の呼称および参照番号で呼ぶこととして、説明を原則省略する。
【００５８】
図６は、図５に示した制御基板２１３および装置基板２１４のより詳しい構成について示す説明図である。制御基板２１３は、第１の実施形態の制御基板１３と比べて、バックライト駆動部１３ｂが別のバックライト駆動部２１３ｂに置換されている。
【００５９】
装置基板２１４は、第１の実施形態の装置基板１４と同じく、プロセッサ１４ａ、記憶手段１４ｂ、操作入力手段１４ｃ、音声入力手段１４ｄ、およびサンプリング手段１４ｅを備える。そして、プロセッサ１４ａが、第１の実施形態とは別のＬＣＤ制御プログラムが動作することにより、バックライト制御機能２２１、動作モード判定機能２２、サンプリング制御機能２２３、周波数分析機能２２４、およびノイズ判定機能２２５として動作する。
【００６０】
サンプリング制御機能２２３は、音声入力手段１４ｄから入力された音をサンプリングしてデジタルデータに変換するサンプリング手段１４ｅの動作を制御する。周波数分析機能２２４は、サンプリング手段１４ｅによって変換されたデジタルデータから、ＦＦＴ（高速フーリエ変換）などのような公知の手法によって周波数ごとの音圧レベルを検出し、音圧レベルの高い周波数を抽出する。
【００６１】
ノイズ判定機能２２５は、周波数分析機能２２４によって検出された周波数ごとの音圧レベルから、（音鳴きに起因する可能性のある）ノイズが発生しているか否かを判定する。より具体的には、ノイズでない音声であれば同一周波数における音圧レベルは絶えず変化しているはずであるので、「可聴周波数領域内で、かつ時間による音圧レベルの変化が予め与えられた閾値以内である」音を、ノイズであると判定することができる。
【００６２】
動作モード判定機能２２は、第１の実施形態と同じく、プロセッサ１４ａで行われている動作の種類が特定の動作モード、即ち「音声入力手段１４ｄを利用する動作モード」であるか否かについて判定する。
【００６３】
そして、バックライト制御機能２２１は、特定の動作モードであり、かつノイズが発生していると判定された場合に、デューティ比が同一で、かつ周波数の異なるパルス電圧をバックライト部１２に印加するよう、バックライト駆動部２１３ｂを制御する。バックライト駆動部２１３ｂは、そのような「デューティ比が同一で、かつ周波数の異なるパルス電圧」を発生する機能を備えている。これについての詳細は次に説明する。
【００６４】
図７は、図６に示したバックライト駆動部２１３ｂが発生する、デューティ比が同一でかつ周波数の異なるパルス電圧について示す説明図である。デューティ比とは、前述のようにＰＷＭのオン／オフの動作周期の中でオン状態となる時間の比率である。従って、バックライト部１２に印加されるパルス電圧の周波数を変えても、デューティ比が同一であれば、実質上バックライト部１２の輝度は変化しない。またこの場合、パルス電圧の周波数の変更は、当該周波数を上げる方向で行ってもよいし、下げる方向でもよい。
【００６５】
前述のように、音鳴きの発生の有無は非常に多くの条件に依存するものであるので、音鳴きの発生が観測された時点でバックライト部１２の点灯に関連する要素であるパルス電圧の周波数を変更すれば、デューティ比が同一であれば実質上の表示輝度について何ら変化させることなく、共振条件を外して音鳴きを回避することが容易にできる。万一、周波数を変更した後でも可聴周波数領域内のノイズ（即ち音鳴き）が継続している場合には、さらにその周波数を変更すればよい。
【００６６】
図８は、図６に示した電子機器２１０のバックライト部１２の点灯を制御する動作について示すフローチャートである。電子機器２１０のプロセッサ１４ａが液晶表示部１１に何かを表示させる動作を開始すると、まず動作モード判定機能２２が、第１の実施形態（図３）のステップＳ１０１と同様に、プロセッサ１４ａで行われている動作が「特定の動作モード」であるかについて判定する（ステップＳ３０１）。
【００６７】
特定の動作モードであれば（ステップＳ３０１がイエス）、動作モード判定機能２２はサンプリング制御機能２２３に制御を渡して、サンプリング制御機能２２３はサンプリング手段１４ｅの動作を制御して、音声入力手段１４ｄから入力された音をサンプリングしてデジタルデータに変換する（ステップＳ３０２）。そしてサンプリングされて得られたデジタルデータから、周波数分析機能２２４が周波数ごとの音圧レベルを検出し、音圧レベルの高い周波数を抽出する（ステップＳ３０３）。
【００６８】
そして、ノイズ判定機能２２５が、抽出された周波数が可聴周波数領域内であり、かつ当該周波数における音圧レベルの変化が与えられた閾値以内であるか否か、即ち音鳴きに起因する可能性のあるノイズが発生しているか否かを判定する（ステップＳ３０４）。ノイズが発生していないと判定されれば、ステップＳ３０１からの動作を繰り返す。
【００６９】
ノイズが発生していると判定されれば（ステップＳ３０４がイエス）、バックライト制御機能２２１が、図７に示した「デューティ比が同一で、かつ周波数の異なるパルス電圧」を発生するようにバックライト駆動部２１３ｂを制御する（ステップＳ３０５）。その後でステップＳ３０１からの動作を継続し、可聴周波数領域内のノイズの発生が継続していればさらにパルス電圧の周波数を変化させる。
【００７０】
なお、前述の「特定の動作モード」において、録音動作の開始から一定の時間（たとえば１秒間）を無音で録音することとし、この間に図８のステップＳ３０１〜３０５に示した処理を完了させるように構成することも可能である。このようにすれば、録音開始時点のノイズを目立ちにくくすることができる。
【００７１】
（第２の実施形態の全体的な動作）
次に、上記の実施形態の全体的な動作について説明する。
本実施形態に係るバックライト点灯制御方法は、第１の実施形態に係るバックライト点灯制御方法で音声入力手段が利用されている場合に、音声入力手段から入力された音をサンプリング部がデジタルデータに変換し（図８・ステップＳ３０２）、デジタルデータから音圧レベルの高い周波数を周波数分析機能が抽出し（図８・ステップＳ３０３）、
抽出された周波数が可聴周波数領域内であり、かつ当該周波数における音圧レベルの変化が予め与えられた閾値以内である場合に、ノイズ判定機能がノイズが発生していると判定する（図８・ステップＳ３０４）と共に、音声入力手段が利用されており、かつ音声入力手段によって入力された音声データ中に可聴周波数帯域のノイズが発生している場合に、パルス電圧のデューティ比を同一として周波数を変更させる制御信号をバックライト制御機能がバックライト駆動部に送り込む（図８・ステップＳ３０５）。
この動作により、本実施形態は以下のような効果を奏する。
【００７２】
本実施形態によれば、実際に録音や音声通話などで使用される音声入力手段１４ｄをそのまま使用して、可聴周波数領域内でノイズが発生しているか否かについて判断し、発生していればパルス電圧の周波数を変更することによって、共振条件を外して音鳴きを回避することができる。その際、デューティ比は変更しないので、実質上バックライト部１２の輝度は変化しない。
【００７３】
従って、見た目の表示について何も変化させることなく、音鳴きに起因する可能性のある可聴周波数領域内のノイズの発生を抑止することができる。また、第１の実施形態と違って、音鳴きを防止するためにバックライト部１２の輝度を最大にすることがないので、消費電力の増大を抑えることができるという副次的効果もある。
【００７４】
（第３の実施形態）
本発明の第３の実施形態は、前述した第２の実施形態に加えて、サンプリング制御機能４２３が、サンプリング周波数の異なる複数の動作モードを備え、動作モード判定機能４２２が、音声入力手段が利用されており、かつ動作モードがサンプリング周波数のより高い動作モードである場合に、バックライト制御機能をパルス電圧の波形を変更するよう制御するものとした。
【００７５】
この構成によっても、第２の実施形態と同一の効果が得られることに加えて、さらにサンプリング周波数のより高い動作モード、即ち音鳴きに起因するノイズを拾いやすい動作モードである時に限ってパルス電圧の波形を変更するよう構成したので、さらに消費電力を抑制するという効果を得る事も可能になる。
以下、これをより詳細に説明する。
【００７６】
図９は、本発明の第３の実施形態に係る電子機器４１０の構成について示す説明図である。電子機器４１０は、前述した第２の実施形態に係る電子機器２１０と比べて、ハードウェア的な構成は同一であり、ソフトウェア的な構成が一部変化しているだけである。即ち、装置基板２１４が別の装置基板４１４に置換されているのみである。従って、同一の要素は同一の呼称および参照番号で呼ぶこととして、説明を原則省略する。
【００７７】
図１０は、図９に示した装置基板４１４のより詳しい構成について示す説明図である。制御基板２１３も図示しているが、これは第２の実施形態と同一である。装置基板４１４は、第１および第２の実施形態の装置基板１４および２１４と同一のプロセッサ１４ａ、記憶手段１４ｂ、操作入力手段１４ｃ、および音声入力手段１４ｄを備えるが、第１および第２の実施形態とは別のサンプリング手段４１４ｅを備えている。
【００７８】
そして、プロセッサ１４ａが、第１および第２の実施形態とは別のＬＣＤ制御プログラムが動作することにより、バックライト制御機能２２１、動作モード判定機能４２２、サンプリング制御機能４２３、周波数分析機能２２４、およびノイズ判定機能２２５として動作する。この中で、動作モード判定機能４２２およびサンプリング制御機能４２３以外は、全て第２の実施形態と同一である。
【００７９】
サンプリング制御機能４２３は、サンプリング手段４１４ｅを介して音声入力手段１４ｄから入力された音を取り込む際、「通常モード」および「高品位モード」という２種類の動作でサンプリングを行う事が可能である。そして動作モード判定機能４２２は、プロセッサ１４ａで行われている動作が「特定の動作モード」であってかつ「高品位モード」であるか否かを判定する機能を備える。ここでいう「高品位モード」とは、音声入力手段１４ｄから入力された音を取り込む際のサンプリング周波数が高い、即ちより広い周波数帯域の音を処理する動作モードをいう。
【００８０】
図１１は、図１０で示した動作モード判定機能４２２が判定する通常モードおよび高品位モードについて示す説明図である。サンプリング手段４１４ｅは、たとえば４ｋＨｚおよび８ｋＨｚという２種類のサンプリング周波数で動作する事ができる。ここでは、前者を「通常モード」、後者を「高品位モード」としている。
【００８１】
一般的に、同一の音圧レベルのノイズでも、高い周波数の方が耳につきやすい。また、サンプリング周波数が高いと、より広い周波数帯域の音を取り込むこととなるので、音鳴きが発生している場合に音声入力手段１４ｄがその音鳴きを拾いやすいこととなる。図１１に示した例では、６ｋＨｚ付近に音鳴きに起因するノイズが発生している。通常モードではこのノイズを拾うことはないが、高品位モードでは拾うこととなる。
【００８２】
そのため、動作モード判定機能４２２は、「特定の動作モード」であってかつ「高品位モード」である場合に限って、図８のステップＳ３０２以降で示したパルス電圧の波形を変更する動作を行う。パルス電圧の波形を変更すると、やはり変更しない場合と比べて多少は消費電力の増大となるので、その増大を少なくするという効果を得ることができる。
【００８３】
図１２は、図９に示した電子機器４１０のバックライト部１２の点灯を制御する動作について示すフローチャートである。この動作は、図８に示した第２の実施形態の動作と比べて、最初のステップの動作が置換されているだけである。即ち、動作モード判定機能４２２が、プロセッサ１４ａで行われている動作が「特定の動作モード」であってかつ「高品位モード」であるかについて判定する（ステップＳ５０１）という動作に、最初のステップの動作が置換されているだけである。従って、同一の動作については同一の参照番号を付け、説明を省略する。
【００８４】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【００８５】
上述した実施形態について、その新規な技術内容の要点をまとめると、以下のようになる。なお、上記実施形態の一部または全部は、新規な技術として以下のようにまとめられるが、本発明は必ずしもこれに限定されるものではない。
【００８６】
（付記１）  液晶によって画面表示を行う液晶表示部と、前記液晶表示部の背後から光をユーザに向けて放つバックライト部と、音声を音声データとして入力する音声入力手段とを備えた電子機器であって、
前記バックライト部を点灯させるためのパルス電圧を発生するバックライト駆動部を備えると共に、
前記音声入力手段が利用されているか否かを判定する動作モード判定機能と、
前記音声入力手段が利用されている場合に、前記バックライト駆動部に前記パルス電圧の波形を変更する制御信号を送り込むバックライト制御機能と
を有する主制御部を備えたことを特徴とする電子機器。
【００８７】
（付記２）  前記バックライト制御機能が、前記音声入力手段が利用されている場合に、前記パルス電圧のデューティ比を１００％とさせる制御信号を前記バックライト駆動部に送り込むことを特徴とする、付記１に記載の電子機器。
【００８８】
（付記３）  前記音声入力手段が利用されており、かつ前記音声入力手段によって入力された前記音声データ中に可聴周波数帯域のノイズが発生している場合に、前記バックライト制御機能が、前記パルス電圧のデューティ比を変えることなく周波数を変更させる制御信号を前記バックライト駆動部に送り込むことを特徴とする、付記１に記載の電子機器。
【００８９】
（付記４）  前記音声入力手段から入力された音をデジタルデータに変換するサンプリング手段を備えると共に、
前記主制御部が、
前記サンプリング手段の動作を制御するサンプリング制御機能と、
前記デジタルデータから音圧レベルの高い周波数を抽出する周波数分析機能と、
前記抽出された周波数が可聴周波数領域内であり、かつ当該周波数における前記音圧レベルの変化が予め与えられた閾値以内である場合に、前記ノイズが発生していると判定するノイズ判定機能と
を備えることを特徴とする、付記３に記載の電子機器。
【００９０】
（付記５）  前記サンプリング部が、サンプリング周波数の異なる複数の動作モードを備え、
前記動作モード判定機能が、前記音声入力手段が利用されており、かつ前記動作モードが前記サンプリング周波数のより高い動作モードである場合に、前記バックライト制御機能を前記パルス電圧の波形を変更するよう制御することを特徴とする、付記４に記載の電子機器。
【００９１】
（付記６）  液晶によって画面表示を行う液晶表示部と、前記液晶表示部の背後から光をユーザに向けて放つバックライト部と、音声を音声データとして入力する音声入力手段とを備えた電子機器にあって、
前記音声入力手段が利用されているか否かを動作モード判定機能が判定し、
前記音声入力手段が利用されているか否かの判定結果に応じて、前記パルス電圧の波形を変更する制御信号をバックライト制御機能がバックライト駆動部に送り込み、
前記制御信号に応じて波形を変更したパルス電圧を前記バックライト駆動部が発生し、
このパルス電圧を前記バックライト部に印加する
ことを特徴とするバックライト点灯制御方法。
【００９２】
（付記７）  前記音声入力手段が利用されている場合に、前記パルス電圧のデューティ比を１００％とさせる制御信号を前記バックライト制御機能が前記バックライト駆動部に送り込むことを特徴とする、付記６に記載のバックライト点灯制御方法。
【００９３】
（付記８）  前記音声入力手段が利用されている場合に、前記音声入力手段から入力された音をサンプリング部がデジタルデータに変換し、
前記デジタルデータから音圧レベルの高い周波数を周波数分析機能が抽出し、
前記抽出された周波数が可聴周波数領域内であり、かつ当該周波数における前記音圧レベルの変化が予め与えられた閾値以内である場合に、ノイズ判定機能が前記ノイズが発生していると判定すると共に、
前記音声入力手段が利用されており、かつ前記音声入力手段によって入力された前記音声データ中に可聴周波数帯域のノイズが発生している場合に、前記パルス電圧のデューティ比を変えることなく周波数を変更させる制御信号を前記バックライト制御機能が前記バックライト駆動部に送り込むことを特徴とする、付記６に記載のバックライト点灯制御方法。
【００９４】
（付記９）  液晶によって画面表示を行う液晶表示部と、前記液晶表示部の背後から光をユーザに向けて放つバックライト部と、音声を音声データとして入力する音声入力手段と、前記バックライト部を点灯させるためのパルス電圧を発生するバックライト駆動部とを備えた電子機器にあって、
当該電子機器が備えるプロセッサに、
前記音声入力手段が利用されているか否かを判定する手順、
および前記音声入力手段が利用されているか否かの判定結果に応じて、前記バックライト駆動部に前記パルス電圧の波形を変更する制御信号を送り込む手順
を実行させることを特徴とするバックライト点灯制御プログラム。
【００９５】
（付記１０）  前記音声入力手段が利用されている場合に、前記パルス電圧のデューティ比を１００％とさせる制御信号を前記バックライト駆動部に送り込むことを特徴とする、付記９に記載のバックライト点灯制御プログラム。
【００９６】
（付記１１）  前記音声入力手段から入力された音をデジタルデータに変換する動作を制御する手順、
前記デジタルデータから音圧レベルの高い周波数を抽出する手順、
および前記抽出された周波数が可聴周波数領域内であり、かつ当該周波数における前記音圧レベルの変化が予め与えられた閾値以内である場合に、前記ノイズが発生していると判定する手順
を前記プロセッサにさらに実行させると共に、
前記音声入力手段が利用されており、かつ前記音声入力手段によって入力された前記音声データ中に可聴周波数帯域のノイズが発生している場合に、前記パルス電圧のデューティ比を変えることなく周波数を変更させる制御信号を前記バックライト駆動部に送り込む手順を当該プロセッサにさらに実行させる
ことを特徴とする、付記９に記載のバックライト点灯制御プログラム。
【産業上の利用可能性】
【００９７】
本発明は、液晶表示部（とバックライト部と）を備え、かつ音声入力手段を備えた電子機器であれば、幅広く適用できる。その電子機器のバックライト部の光源が冷陰極管であってもＬＥＤ（発光ダイオード）であっても、本発明を適用可能である。中でも、その電子機器が可搬型であったり、バッテリー駆動であったりする場合に特に適している。典型的には、携帯電話端末（スマートフォンおよびフィーチュアフォン）、ノートブック型パーソナルコンピュータ、タブレット端末、携帯型ゲーム機、携帯型音楽プレーヤー、ＧＰＳ機器などが、本発明の好適な適用対象である。
【符号の説明】
【００９８】
１０、２１０、４１０  電子機器
１１  液晶表示部
１２  バックライト部
１３、２１３  制御基板
１３ａ  液晶駆動部
１３ｂ、２１３ｂ  バックライト駆動部
１４、２１４、４１４  装置基板
１４ａ  プロセッサ
１４ｂ  記憶手段
１４ｃ  操作入力手段
１４ｄ  音声入力手段
１４ｅ、４１４ｅ  サンプリング手段
２１、２２１  バックライト制御機能
２２、４２２  動作モード判定機能
２２３、４２３  サンプリング制御機能
２２４  周波数分析機能
２２５  ノイズ判定機能
【図１】
2014078864.tif 000003
【図２】
2014078864.tif 000004
【図３】
2014078864.tif 000005
【図４】
2014078864.tif 000006
【図５】
2014078864.tif 000007
【図６】
2014078864.tif 000008
【図７】
2014078864.tif 000009
【図８】
2014078864.tif 000010
【図９】
2014078864.tif 000011
【図１０】
2014078864.tif 000012
【図１１】
2014078864.tif 000013
【図１２】
2014078864.tif 000014
【図１３】
2014078864.tif 000015
【図１４】
2014078864.tif 000016
【図１５】
2014078864.tif 000017
【図１６】
2014078864.tif 000018
【図１７】
2014078864.tif 000019
【図１８】
2014078864.tif 000020
【図１９】
2014078864.tif 000021